(57)【要約】【課題】光ディスク装置において、複数の記録ストラテジの中から所定の光ディスクにおける最適な記録ストラテジを選択する技術を提供する。【解決手段】最短マークと最短スペースの繰返しパターンの記録と再生を行い取得したジッタから算出されるパワーマージンやデフォーカスマージンを複数の記録パルス幅に対して取得することで、最適な最短マークの記録パルス幅を求め、複数の記録ストラテジの中から、最短マークの記録パルス幅が、最適な最短マークの記録パルス幅に近いものを採用する。【選択図】図１
2009163825.tif 000002
【特許請求の範囲】
【請求項１】
光ディスクにレーザ光を照射して情報の記録または再生を行う光ディスク装置であって、
上記レーザ光を発光するレーザダイオードと、
最短マークと最短スペースが交互に繰り返される繰り返しパターンの記録パルス幅と記録パワーを変化させながら発光されるように上記レーザダイオードを駆動するレーザ駆動回路と、
上記光ディスクからの反射レーザ光に基づく再生信号から該光ディスクに記録されている前記繰り返しパターンの記録マークのジッタを測定するジッタ測定手段と、
上記レーザ駆動回路及び上記ジッタ測定手段を制御するとともに、上記ジッタ測定結果に基づく記録ストラテジの選択を行う制御手段と、
上記選択した記録ストラテジの記録パワー及び記録パルスタイミングを最適化する記録ストラテジ最適化手段と、
を備え、上記求めた記録ストラテジにより上記レーザダイオードを駆動して情報を記録することを特徴とする光ディスク装置。
【請求項２】
光ディスクにレーザ光を照射して情報の記録または再生を行う光ディスク装置であって、
上記レーザ光を発光するレーザダイオードと、
最短マークと最短スペースが交互に繰り返される繰り返しパターンの記録パルス幅と記録パワーを変化させながら発光されるように上記レーザダイオードを駆動するレーザ駆動回路と、
上記レーザ光のデフォーカス量を変化させるフォーカスアクチュエータと、
上記フォーカスアクチュエータを駆動するフォーカス駆動回路と、
上記光ディスクからの反射レーザ光に基づく再生信号から該光ディスクに記録されている繰り返しパターンの記録マークのジッタを測定するジッタ測定手段と、
上記レーザ駆動回路、上記フォーカスアクチュエータ駆動回路及び上記ジッタ測定手段を制御するとともに、上記ジッタ測定結果に基づく記録ストラテジの選択を行う制御手段と、
上記選択した記録ストラテジの記録パワー及び記録パルスタイミングを最適化する記録ストラテジ最適化手段と、
を備え、上記求めた記録ストラテジにより上記レーザダイオードを駆動して情報を記録することを特徴とする光ディスク装置。
【請求項３】
レーザ光を光ディスクに照射し情報を記録する情報記録方法であって、
最短マークと最短スペースが交互に繰り返される繰り返しパターンを、記録パワーと記録パルス幅を変化させながら前記光ディスクに記録するステップと、
上記繰り返しパターンを再生して得られた再生信号からジッタを測定するステップと、
上記測定したジッタから最適な記録ストラテジを選択するステップと、
上記選択した記録ストラテジの記録パワーと記録パルスタイミングを最適化するステップと、
最適な記録パワー及び最適な記録パルスタイミングによりレーザ光を発生させ、光ディスクに情報を記録するステップとを有することを特徴とする情報記録方法。
【請求項４】
レーザ光を光ディスクに照射し情報を記録する情報記録方法であって、
最短マークと最短スペースが交互に繰り返される第１繰り返しパターンを、記録パワーと記録パルス幅を変化させながら前記光ディスクに記録するステップと、
上記第１繰り返しパターンを再生して、再生信号からジッタを測定するステップと、
上記測定したジッタから各記録パルス幅における最適な記録パワーを決定するステップと、
上記決定した各記録パルス幅における最適な記録パワーを用いて最短マークと最短スペースが交互に繰り返される第２繰り返しパターンの記録を、デフォーカス量を変化させながら行うステップと、
上記第２繰り返しパターンを再生して、再生信号からジッタを測定するステップと、
上記測定したジッタから最適な記録ストラテジを選択するステップと、
上記選択した記録ストラテジの記録パワーと記録パルスタイミングを最適化するステップと、
最適な記録パワー及び最適な記録パルスタイミングによりレーザ光を発生させ、光ディスクに情報を記録するステップとを有することを特徴とする情報記録方法。
【発明の詳細な説明】
【技術分野】
【０００１】
本発明は、光ディスク装置における情報記録技術に係り、特に、所定の光ディスクにおける最適な記録ストラテジを選択する技術に関する。
【背景技術】
【０００２】
本発明に関連し、光ディスクに情報を記録するための記録ストラテジ調整の従来技術としては、例えば、特許文献１（特開２００５−２８５２６０号公報）や特許文献２（特開２００４−２４６９５６号公報）に記載されたものがある。
【０００３】
特許文献１（特開２００５−２８５２６０号公報）には記録ストラテジの前端と後端のパルスタイミングを調整して記録ストラテジを最適化する技術が記載されている。
【０００４】
特許文献２（特開２００４−２４６９５６号公報）には複数の記録ストラテジの各々についてＯＰＣを行い、最適記録パワーとジッタ情報またはエラーレート情報を得る手段と、得られたジッタ情報またはエラーレート情報を基に複数の記録ストラテジから一つの記録ストラテジを選択し、該記録ストラテジのパルスタイミングを変化させて誤り率またはエラーレート情報が最小となるようなパルスタイミングを求める技術が記載されている。
【０００５】
【特許文献１】特開２００５−２８５２６０号公報
【特許文献２】特開２００４−２４６９５６号公報
【発明の開示】
【発明が解決しようとする課題】
【０００６】
光ディスクの記録はディスク膜面に集光したレーザ光を照射することでマークを形成し行われる。この際のレーザの発光波形の制御は記録ストラテジと呼ばれ、一般的に光ディスクの特性や記録速度に応じて調整が必要である。記録ストラテジが適正で無い場合には、マークが適正に形成できないために情報の劣化を招き、再生エラーの原因となる。
【０００７】
記録ストラテジが適正である場合でも、温度変化によるレーザ特性変化、最適記録パワー学習ばらつき、デフォーカス（焦点ずれ）、デトラック、チルトずれなどのドライブ依存の要素と、ディスクの感度むら、半径方向の膜厚変化、デビエーションなどのディスク依存の要素、振動、衝撃、温度変化、塵芥といった環境変化依存の要素が相互に組み合わさって記録品質が劣化する場合がある。特に記録パワーの変化及びデフォーカスは記録品質を劣化させる主たる要因であり、これらの変動に対して耐性の強い記録ストラテジを使用することが、記録品質確保にとって重要である。
【０００８】
適正な記録ストラテジが未知のディスクに対して記録を行う場合、標準的な記録ストラテジを使う場合や、ディスク情報から記録ストラテジを読み取りこれを使用する場合がある。これらをディスクのデータエリアよりも内周や外周の試し書き領域において、記録パワーを調整したり、パルスタイミングを微調整したりして使用することで記録品質を確保する場合もある。
【０００９】
上記特許文献１（特開２００５−２８５２６０号公報）には記録ストラテジのパルスタイミングを調整して記録ストラテジを最適化する技術が記載されているが、調整する基となる記録ストラテジが対象となるディスクの特性から大きく外れている場合には前端と後端のパルスタイミングの調整だけでは補正しきれない場合が考えられる。
【００１０】
また、特許文献２（特開２００４−２４６９５６号公報）には複数の記録ストラテジのパワーマージンから最適と考えられる記録ストラテジを選択し、該記録ストラテジのパルスタイミングを調整する技術が記載されているが、パルスタイミングを調整する前の段階で複数の記録ストラテジのパワーマージンを比較しても最適な記録ストラテジが選択できていない場合があると考えられる。
【００１１】
複数の記録ストラテジをそれぞれ調整した後にパワーマージンを取得し比較する方法も考えられるが、処理時間が増大すると考えられる。
【００１２】
本発明は、かかる従来技術の状況に鑑みてなされたものであり、本発明の目的は、良好な記録品質が得られ、かつ、使い勝手の良い光ディスク装置を提供することにある。
【課題を解決するための手段】
【００１３】
上記目的は、特許請求の範囲に記載の発明により達成される。
本願において開示される発明のうち代表的なものの概要を簡単に説明すれば次のとおりである。本発明に従う光ディスク装置は、上記レーザ光を発光するレーザダイオードと、最短マークと最短スペースが交互に繰り返される繰り返しパターンの記録パルス幅とを記録パワーを変化させながら発光されるように出力し上記レーザダイオードを駆動するレーザ駆動回路と、上記光ディスクからの反射レーザ光に基づく再生信号から該光ディスクに記録されている前記繰り返しパターンの最短マークと最短スペースが交互に繰り返される記録マークのジッタを測定するジッタ測定手段と、上記レーザ駆動回路及び上記ジッタ測定手段を制御するとともに、上記ジッタ測定結果に基づく記録ストラテジの選択を行う制御手段と、上記選択した記録ストラテジの記録パワー及び記録パルスタイミングを最適化する記録ストラテジ最適化手段と、を備え、上記求めた記録ストラテジにより上記レーザダイオードを駆動して情報を記録するものである。
【発明の効果】
【００１４】
本発明によれば、良好な記録品質が得られ、かつ、使い勝手の良い光ディスク装置を提供することができる。
【発明を実施するための最良の形態】
【００１５】
本発明に従う第１の光ディスク装置は、一例として、最短マークと最短スペースの繰返しパターンを記録パワーを変化させて記録し、該記録マークを再生して得られるジッタからパワーマージンを算出し、該パワーマージンを複数の最短マークの記録パルス幅に対して取得することで、最適な最短マークの記録パルス幅を求め、複数の記録ストラテジの中から、最短マークの記録パルス幅が、最適な最短マークの記録パルス幅に近いものを採用する構成とされることができる。
【００１６】
また、本発明に従う第２の光ディスク装置は、例えば、第１の発明のパワーマージンに加えて、デフォーカスマージンを複数の最短マークの記録パルス幅に対して取得することで、最適な最短マークの記録パルス幅を求め、複数の記録ストラテジの中から、最短マークの記録パルス幅が、最適な最短マークの記録パルス幅に近いものを採用する構成とされることができる。
【００１７】
以下、これら本発明の光ディスク装置の実施形態につき、図面を用いて記録型ＤＶＤを例に挙げ説明する。
【００１８】
図１〜８は本発明の実施形態の説明図である。図１は本発明の実施形態としての光ディスク装置の構成例図、図２は図１の光ディスク装置における、ＤＶＤの最短マーク長である３Ｔマークと最短スペース長である３Ｔスペースが交互に繰り返されるパターンの記録ストラテジと形成される記録マークの説明図、図３は図１の光ディスク装置における第１の実施例の動作説明図、図４は図１の光ディスク装置における、記録パワーとジッタとの関係の説明図、図５は図１の光ディスク装置における、３Ｔ記録パルス幅とパワーマージンとの関係の説明図、図６は図１の光ディスク装置における第２の実施例の動作説明図、図７は図１の光ディスク装置における、デフォーカス量とジッタとの関係の説明図、図８は図１の光ディスク装置における、３Ｔ記録パルス幅とパワーマージンおよびデフォーカスマージンとの関係の説明図である。
【００１９】
図１において、１は、本発明の実施形態としての光ディスク装置、２は、ＣＤ、ＤＶＤ、青色レーザ用ディスクなどの光ディスク、３は、光ディスク２を回転駆動するディスクモータ、４は、光ピックアップ、５は、対物レンズ、６は、記録または再生のために所定の強さのレーザ光を発生するレーザダイオード、７は、レーザダイオード６を駆動するレーザ駆動回路、８は、対物レンズ５を介し光ディスク２の記録面からの反射レーザ光を受光して電気信号に変換し出力する受光部、９は対物レンズ５を光ディスク２と垂直方向に駆動可能なフォーカスアクチュエータ、１０は、受光部８からの信号を増幅するなどアナログ処理するアナログフロントエンド、１１は、直線状のガイド部材（図示なし）やリードスクリュー部材（図示なし）や該リードスクリュー部材を回転駆動するスライドモータ（図示なし）などを備えて構成され、光ピックアップ４を光ディスク２の略半径方向に移動させる移動・案内機構部、１２は、ディスクモータ３やスライドモータ（図示なし）を駆動するモータ駆動回路、１３はフォーカスアクチュエータ９を駆動するフォーカスアクチュエータ駆動回路、２０はＤＳＰ（Ｄｉｇｉｔａｌ  Ｓｉｇｎａｌ  Ｐｒｏｃｅｓｓｏｒ）、２１は、ＤＳＰ２０内にあってモータ駆動回路１２を制御するモータ制御部、２２はＤＳＰ２０内にあってフォーカスアクチュエータ駆動回路１３を制御するフォーカス制御部、２３は、ＤＳＰ２０内にあって受光部８からの再生信号をアナログフロントエンド１０を介して、ＲＦ信号や、トラッキングエラー信号や、フォーカスエラー信号として処理する再生信号処理部、２４は、ＤＳＰ２０内にあって再生信号から、光ディスク２に記録されている記録マークのジッタを測定するジッタ測定手段、２５は、ＤＳＰ２０内にあって再生信号から、光ディスク２に記録されている記録マークのエッジシフト量を測定するエッジシフト測定手段、２６は、ＤＳＰ２０内にあって再生信号から、光ディスク２に記録されているマークのβ値を測定するβ値測定手段、２７は、ＤＳＰ２０内にあって、上記測定したジッタや上記測定したエッジシフトや上記測定したβ値に基づき、記録ストラテジの記録パワーや記録パルス幅を最適化する最適記録ストラテジ演算手段、２８は、ＤＳＰ２０内にあって上記レーザ駆動回路７を制御するための記録ストラテジ制御部、３０は、ＤＳＰ２０を制御する制御手段としてのマイコン、３１は、記録ストラテジや上記ジッタを記憶する記憶手段としてのメモリである。
【００２０】
図２は本発明において用いる３Ｔマークと３Ｔスペースが交互に繰り返されるパターン（３Ｔ繰返しパターン）の記録波形と形成されるマークの説明図である。図２に示すように、３Ｔマークに対応して３Ｔ記録パルス幅３Ｔｔｏｐと記録パワーＰｏを有するパルスが発光される。なお、パルスの前後にクーリングパルスを付加する構成としても構わない。
【実施例１】
【００２１】
図３は図１の光ディスク装置において、実施例１の記録ストラテジ調整を実施する場合の動作説明図である。
【００２２】
図３における各ステップについて下記（１）〜（１３）で説明する。
【００２３】
（１）光ディスク装置１が記録を行うとき、該記録動作に先立って、マイコン３０はＯＰＣ処理の指示を出す（ステップＳ３０１）。
【００２４】
（２）マイコン３０は予め用意した３Ｔ記録パルス幅３Ｔｔｏｐの最小値、例えば、１．５Ｔ（Ｔはチャネルクロック）をレーザ駆動回路７に設定する（ステップＳ３０２）。
【００２５】
（３）マイコン３０は予め用意した記録パワーの最小値、例えば２０ｍＷをレーザ駆動回路７に設定する（ステップＳ３０３）。
【００２６】
（４）マイコン３０はレーザ駆動回路７に設定されている記録パワーが予め用意した記録パワーの最大値、例えば６０ｍＷ以下であるか判断する（ステップＳ３０４）。
【００２７】
（５）ステップＳ３０５において、記録パワーが最大値以下である場合は、マイコン３０はレーザ駆動回路７から３Ｔ繰り返しパターンを出力させてレーザダイオード６を駆動させ、光ディスク２の、例えば、試し書き領域に記録させる（ステップＳ３０５）。
【００２８】
（６）ステップＳ３０５の後にマイコン３０は記録パワーを例えば５％上げてレーザ駆動回路７に設定する（ステップＳ３０６）。以降、ステップＳ３０４〜Ｓ３０６をステップＳ３０４で記録パワーが最大値を超えたと判断されるまで繰り返す。
【００２９】
（７）ステップＳ３０４において、記録パワーが最大値以下でない場合は、該３Ｔ記録パルス幅での記録を終了し、マイコン３０は３Ｔ記録パルス幅を例えば０．１Ｔ大きくし、レーザ駆動回路７に設定する（ステップＳ３０７）。
【００３０】
（８）マイコン３０は、レーザ駆動回路７に設定されている３Ｔ記録パルス幅が３Ｔ記録パルス幅の最大値、例えば２．５Ｔ以下であるか判断する（ステップＳ３０８）。最大値以下の場合は、ステップＳ３０３〜Ｓ３０８をステップＳ３０７において３Ｔ記録パルス幅が最大値を超えるまで繰り返す。
【００３１】
（９）ステップＳ３０８において、３Ｔ記録パルス幅が最大値を超えた場合は、記録動作を終了し、マイコン３０はステップＳ３０３〜Ｓ３０８において記録された３Ｔ繰返しパターンの記録マークを再生し、ジッタ測定手段２４によりジッタを取得する（ステップＳ３０９）。
【００３２】
ステップＳ３０９で取得したジッタを縦軸に取り記録パワーを横軸に取ると、例えば図４で示すような関係となる。所定の３Ｔ記録パルス幅においては、ジッタは記録パワーに対して下に凸の曲線となり、ジッタが小さいほど記録品質が良好であることを意味する。一般的には、ジッタの曲線は３Ｔ記録パルス幅が大きいほど、記録パワーの小さい方向に推移する。各ジッタの曲線の品質評価指標としては、ジッタが最小となるボトムジッタの値、もしくは、所定のジッタの閾値（例えば１５％）よりジッタが小さい記録パワー範囲を、例えば該記録パワー範囲の中心パワーで正規化したものをパワーマージンとして用いることができる。通常、ジッタはランダムパターンに対して測定するが、３Ｔ繰返しパターンにおいても、同様に取得することが可能である。
【００３３】
（１０）マイコン３０は、ステップＳ３０９において取得した各３Ｔ記録パルス幅における記録パワーとジッタとの関係から、最適な３Ｔ記録パルス幅を決定する（ステップＳ３１０）。例えば、図５に示すように、横軸に３Ｔ記録パルス幅を取り、縦軸にステップＳ３０９において得られたパワーマージンを取る。パワーマージンは大きいほどパワー変化に対して安定していると言えるため、パワーマージンが最大となる３Ｔ記録パルス幅を最適３Ｔ記録パルス幅とする。パワーマージンの代わりに各３Ｔ記録パルス幅におけるボトムジッタを用いても良い。この場合、ボトムジッタが最小となる３Ｔ記録パルス幅を最適な３Ｔ記録パルス幅とする。
【００３４】
ランダムパターンのジッタを用いた場合、記録ストラテジが最適化されていない場合、マークエッジのずれであるエッジシフトが発生してしまうため最適化後の記録ストラテジの品質を予測して比較することが難しいが、３Ｔ繰返しパターンであればエッジシフト量が発生しないためディスクの特性に対して最適な３Ｔ記録パルス幅を決定することができる。
【００３５】
（１１）マイコン３０は、メモリ３１に複数の予め用意した記録ストラテジの中からステップＳ３１０において算出した最適３Ｔ記録パルス幅に最も近い３Ｔ記録パルス幅を有する記録ストラテジを選択する（ステップＳ３１１）。
【００３６】
（１２）マイコン３０は、ステップＳ３１１において選択した記録ストラテジを基に記録、再生動作を行い、ジッタ測定手段２４を用いて測定したジッタやエッジシフト測定手段２５を用いて測定したエッジシフトやβ値測定手段２６を用いて測定したβ値に基づき、最適記録ストラテジ演算手段２７を用いて、記録ストラテジの記録パワーおよび記録パルスタイミングを最適化する（ステップＳ３１２）。
【００３７】
（１３）以上、ステップＳ３０１〜Ｓ３１２の処理により、記録ストラテジの最適化処理を終了し、マイコン３０は、上記最適化した記録ストラテジを用いて、光ディスク装置１に、光ディスク２への情報記録を開始させる（ステップＳ３１３）。
【００３８】
上記、ステップＳ３０１〜Ｓ３１３の一連の手順は、メモリ３１など光ディスク装置１内の記憶手段に記憶されたプログラムに従ってマイコン３０が自動的に実行する。
【００３９】
上記実施形態の光ディスク装置１によれば、複数の記録ストラテジを、個別にパルスタイミングや記録パワーの最適化を行う以前に、最適化後のパワーマージンが大きく取れると見込める記録ストラテジを選択することが可能であり、選択した記録ストラテジのみを最適化すれば良いため、記録動作を迅速に行うことができ、装置の使い勝手を向上させることができる。
【実施例２】
【００４０】
図６は図１の光ディスク装置において、実施例２の記録ストラテジ調整を実施する場合の動作説明図である。
【００４１】
（１）ステップＳ６０１〜Ｓ６０９は実施例１におけるステップＳ３０１〜Ｓ３０９と対応する同一の処理のため説明を省略する。
【００４２】
（２）マイコン３０はステップＳ６０９において取得した各３Ｔ記録パルス幅における記録パワーとジッタとの関係から、各３Ｔ記録パルス幅において、最適な記録パワー、例えばボトムジッタとなる記録パワーを算出する（ステップＳ６１０）。
【００４３】
（３）マイコン３０は最小の３Ｔ記録パルス幅、例えば１．５Ｔと該３Ｔ記録パルス幅における最適な記録パワー、例えばボトムジッタとなる記録パワーをレーザ駆動回路７に設定する（ステップＳ６１１）。
【００４４】
（４）マイコン３０はフォーカス制御部２２に指示を出して、制御信号を出力させ、フォーカスアクチュエータ駆動回路１３を駆動し、フォーカスアクチュエータ９を予め決めてある最小のデフォーカス位置、例えば−０．５ミクロンに設定する（ステップＳ６１２）。ここで、デフォーカス位置が０であることは最適なフォーカス位置に対物レンズ５が位置していることを意味するものとする。
【００４５】
（５）マイコン３０は設定されているデフォーカス位置が予め決めてある最大のデフォーカス位置、例えば＋０．５ミクロン以下であるか判断する（ステップＳ６１３）。
【００４６】
（６）ステップＳ６１３においてデフォーカス位置が最大のデフォーカス位置以下である場合には３Ｔ繰返しパターンの記録を行う（ステップＳ６１４）。
【００４７】
（７）ステップＳ６１４の後に、マイコン３０はデフォーカス位置を例えば＋０．１ミクロンずらす（ステップＳ６１５）。以降、ステップＳ６１３〜Ｓ６１５をステップＳ６１３においてデフォーカス位置が最大値よりも大きくなるまで繰り返す。
【００４８】
（８）ステップＳ６１３において、デフォーカス位置が最大値よりも大きいと判定された場合は、マイコン３０は３Ｔ記録パルス幅を、例えば０．１Ｔ大きくし、該３Ｔ記録パルス幅における、ボトムジッタとなる記録パワーとともにレーザ駆動回路７に設定する（ステップＳ６１６）。
【００４９】
（９）マイコン３０は設定されている３Ｔ記録パルス幅が最大値、例えば２．５Ｔ以下であるか判断する（ステップＳ６１７）。３Ｔ記録パルス幅が最大値以下である場合には、ステップＳ６１２〜Ｓ６１７を繰り返し、各３Ｔ記録パルス幅においてデフォーカス位置を変化させながら記録を行う。
【００５０】
（１０）ステップＳ６１７において、３Ｔ記録パルス幅が最大値を超えた場合は、記録動作を終了し、マイコン３０はフォーカス制御部２２から制御信号を送り、フォーカスアクチュエータ駆動回路１３を駆動し、フォーカスアクチュエータを予め求めておいた最適なフォーカス位置に設定し、ステップＳ６１２〜ステップＳ６１７において記録された３Ｔ繰返しパターンの記録マークを再生し、ジッタ測定手段２４によりジッタを取得する（ステップＳ６１８）。
【００５１】
ステップＳ６１８で取得したジッタを縦軸に取りデフォーカス量を横軸に取ると、例えば図７で示すような関係となる。所定の３Ｔ記録パルス幅においては、ジッタはデフォーカス量に対して下に凸の曲線となる。各ジッタの曲線の品質評価指標としては、あるジッタの閾値（例えば１５％）よりジッタが小さいデフォーカス範囲をデフォーカスマージンとして用いる。
【００５２】
（１１）マイコン３０は、ステップＳ６１８において取得した各３Ｔ記録パルス幅におけるデフォーカスマージンとジッタマージンとの関係から、最適な３Ｔ記録パルス幅を決定する（ステップＳ６１９）。例えば、横軸に３Ｔ記録パルス幅を取り、縦軸にステップＳ６１８において得られたデフォーカスマージンを取ると図８に示すような曲線が得られる。デフォーカスマージンは大きいほど、デフォーカスに対して安定していると言える。また、ステップＳ６０１〜Ｓ６１０で図８にあるように３Ｔ記録パルス幅に対するパワーマージンの曲線も得られる。従って、例えば、パワーマージンが１５％以上となる３Ｔ記録パルス幅の範囲の中で、デフォーカスマージンが最大となるように、３Ｔ記録パルス幅を決定する。
【００５３】
（１２）マイコン３０は、複数の予め用意した記録ストラテジの中からステップＳ６１９において算出した最適３Ｔ記録パルス幅に最も近い３Ｔ記録パルス幅を有する記録ストラテジを選択する（ステップＳ６２０）。
【００５４】
（１３）マイコン３０は、ステップＳ６２０において選択した記録ストラテジを基に記録、再生動作を行い、ジッタ測定手段２４を用いて測定したジッタやエッジシフト測定手段２５を用いて測定したエッジシフトやβ値測定手段２６を用いて測定したβ値に基づき、最適記録ストラテジ演算手段２７を用いて、記録ストラテジの記録パワーおよび記録パルスタイミングを最適化する（ステップＳ６２１）。
【００５５】
（１４）以上、ステップＳ６０１〜Ｓ６２１の処理により、記録ストラテジの最適化処理を終了し、マイコン３０は、光ディスク装置１に、光ディスク２への情報記録を開始させる（ステップＳ６２２）。
【００５６】
上記ステップＳ６０１〜Ｓ６２２の一連の手順は、メモリ３１など光ディスク装置１内の記憶手段に記憶されたプログラムに従ってマイコン３０が自動的に実行する。
【００５７】
上記実施形態の光ディスク装置１によれば、複数の記録ストラテジを、個別にパルスタイミングや記録パワーの最適化を行う前に、最適化後にパワーマージンが十分に大きく取れ、なおかつ、デフォーカスマージンの大きい記録ストラテジを選択することが可能であり、選択した記録ストラテジのみを最適化すれば良いため、記録動作を迅速に行うことができ、装置の使い勝手を向上させることができる。
【００５８】
なお、実施例２においてパワーマージンに加えてデフォーカスマージンを測定しているが、これに代えて、もしくは加えてデトラックマージン、チルトマージンなど、他の変動要因に対するマージンを測定してもよい。
【００５９】
なお、実施例２において、全ての３Ｔ記録パルス幅におけるパワーマージンを測定した後にデフォーカスマージンの測定を行っているが、各３Ｔ記録パルス幅毎に、パワーマージンとデフォーカスマージンを測定していくような構成としても良い。
【００６０】
なお、実施例１および実施例２において、記録パワーやデフォーカスは最小値から最大値へと順に変化させる動作としたが、本発明はこれに限定されず、例えば最大値から最小値へと順に変化させてもよいし、順不同に変化させてもよい。
【００６１】
なお、実施例１および実施例２の実施形態では、制御手段としてのマイコン３０やアナログ処理を行うアナログフロントエンド１０をＤＳＰ２０とは別個に設ける構成としたが、本発明はこれに限定されず、マイコンやアナログフロントエンドはＤＳＰ内に一体的に含まれる構成であってもよい。
【００６２】
以上説明してきたように実施例１および実施例２では、複数の記録ストラテジの中から、それぞれのパルスタイミングを最適化する以前に、最適な記録ストラテジを選択することを可能としているため、記録ストラテジの最適化処理を短時間で効率的に行うことができる。また、複数の記録ストラテジの中から最適な記録ストラテジを短時間に選択することが可能であり、かつ、試し書き領域の浪費を防ぐことができる。このため、記録動作を迅速に行うことができ、装置の使い勝手を向上させることができる。
【００６３】
また、以上、ＤＶＤの場合の最短マーク３Ｔを用いて説明を行ったが、本発明はこれに限定されるものではなく、例えば、ブルーレイディスクにおける最短マークである２Ｔを用いることも可能であり、記録型光ディスクに対して記録する装置に適用できる。
【００６４】
また、上述した実施形態では、試し書きの好ましいパターンとして最短マークと最短スペースの繰り返しパターンとしたが、本発明はこれに限定されず、繰り返しパターンであればマーク長とスペース長は最短に制限されない。繰り返しパターンは、例えば、４Ｔマークと４Ｔスペースの繰り返しパターン、５Ｔマークと５Ｔスペースの繰り返しパターン、６Ｔマークと６Ｔスペースの繰り返しパターンなどであってもよい。マークの出現頻度を考慮すると最短マークと最短スペースの繰り返しパターンであることが好ましく、最短マークと最短スペースの繰り返しパターンに基づいてジッタ測定を実施するのが効果的である。また繰り返しパターンの長さも特に限定されず、例えば、ブロックを単位として繰り返しパターンを記録しても良いし、セクタを単位として記録しても良い。
【００６５】
以上、本発明に従う光ディスク装置及び情報記録方法の実施形態について説明したが、本発明は上記実施形態に限定されず、本発明の要旨を逸脱しない範囲において種々の改良や変形を行うことができる。
【図面の簡単な説明】
【００６６】
【図１】本発明の実施形態としての光ディスク装置の構成例図である。
【図２】図１の光ディスク装置における３Ｔマークと３Ｔスペースが交互に繰り返されるパターンの記録波形と形成されるマークの説明図である。
【図３】図１の光ディスク装置における第１の実施例の動作説明図である。
【図４】図１の光ディスク装置における記録パワーとジッタとの関係の説明図である。
【図５】図１の光ディスク装置における３Ｔ記録パルス幅とパワーマージンとの関係の説明図である。
【図６】図１の光ディスク装置における第２の実施例の動作説明図である。
【図７】図１の光ディスク装置におけるデフォーカス量とジッタとの関係の説明図である。
【図８】図１の光ディスク装置における３Ｔ記録パルス幅とパワーマージンおよびデフォーカスマージンとの関係の説明図である。
【符号の説明】
【００６７】
１…光ディスク装置
２…光ディスク
３…ディスクモータ
４…光ピックアップ
５…対物レンズ
６…レーザダイオード
７…レーザ駆動回路
８…受光部
９…フォーカスアクチュエータ
１０…アナログフロントエンド
１１…移動・案内機構部
１２…モータ駆動回路
１３…フォーカスアクチュエータ駆動回路
２０…ＤＳＰ
２１…モータ制御部
２２…フォーカス制御部
２３…再生信号処理部
２４…ジッタ測定手段
２５…エッジシフト測定手段
２６…β値測定手段
２７…最適記録ストラテジ演算手段
２８…記録ストラテジ制御部
３０…マイコン
３１…メモリ
【図１】
2009163825.tif 000003
【図２】
2009163825.tif 000004
【図３】
2009163825.tif 000005
【図４】
2009163825.tif 000006
【図５】
2009163825.tif 000007
【図６】
2009163825.tif 000008
【図７】
2009163825.tif 000009
【図８】
2009163825.tif 000010